(57)【要約】【課題】ラベルに設けた切り込みがきっかけとなってＩＣチップの交信用アンテナが破断してラベルが破壊し、商品本体やケースの開封部分を再封印した場合に識別情報の読み取りが不能となり不正開封されたことを明確に識別できるようにするラベルを提供する。【解決手段】ラベル基材層１の裏面に粘着剤層２を設けたラベルシート１０と、該ラベルシート１０よりも小サイズのアンテナ支持基材層３の表面に直線状又はコイル状のアンテナ線４とＩＣチップ５とを積層形成したラベル識別情報交信シート２０とが、そのＩＣチップ５を粘着剤層２側に重ね合わせて貼着され、前記ラベルシート１０のシート端縁部の数個所には、ラベル基材層１からアンテナ支持基材層３までに、ラベル識別情報交信シート２０のアンテナ線４と交差する方向に向かう切り込み線９が設けられ、該切り込み線９の内端部はアンテナ線４の領域内に掛かるように設けられている。【選択図】図１
2005216054.tif 000002
【特許請求の範囲】
【請求項１】
ラベル基材層１の裏面に粘着剤層２を設けたラベルシート１０と、該ラベルシート１０よりも小サイズのアンテナ支持基材層３の表面に直線状又はコイル状のアンテナ線４とＩＣチップ５とを積層形成したラベル識別情報交信シート２０とが、そのＩＣチップ５を粘着剤層２側に重ね合わせて貼着され、前記ラベルシート１０のシート端縁部の数個所に、ラベル基材層１からアンテナ支持基材層３までに亘ってラベル識別情報交信シート２０のアンテナ線４と交差する方向に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベル。
【請求項２】
前記ラベルシート１０のラベル識別情報交信シート２０周囲外側の粘着剤層２には、剥離シート８が仮貼着されていることを特徴とする請求項１記載の貼り換え防止用ＩＣラベル。
【請求項３】
第１ラベル基材層１の裏面に第１粘着剤層２を設けたラベルシート１０と、該ラベルシート１０よりも小サイズのアンテナ支持基材層３の表面に直線状又はコイル状のアンテナ線４とＩＣチップ５とを積層形成したラベル識別情報交信シート２０とが、そのＩＣチップ５を粘着剤層２側に重ね合わせて貼着され、第２ラベル基材層６の裏面に第２粘着剤層７を設けた補強シート３０が、その第２ラベル基材層６を第１粘着剤層２側に重ね合わせて貼着され、前記ラベルシート１０のシート端縁部の数個所には、第１ラベル基材層１から第２ラベル基材層６までに、ラベル識別情報交信シート２０のアンテナ線４と交差する方向に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベル。
【請求項４】
前記補強シート３０の第２粘着剤層７には、剥離シート８が仮貼着されていることを特徴とする請求項３記載の貼り換え防止用ＩＣラベル。
【請求項５】
ラベル基材層１の裏面に第１粘着剤層２を設けたラベルシート１０と、該ラベルシート１０よりも小さいサイズ又は同一サイズのアンテナ支持基材層３の表面に直線状又はコイル状のアンテナ線４とＩＣチップ５とを積層形成し、そのアンテナ支持基材層３の裏面に第２粘着剤層７を設けたラベル識別情報交信シート２０とが、そのＩＣチップ５を第１粘着剤層２側に重ね合わせて貼着され、前記ラベルシート１０のシート端縁部の数個所に、ラベル基材層１からアンテナ支持基材層３までに亘ってラベル識別情報交信シート２０のアンテナ線４と交差する方向に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベル。
【請求項６】
前記アンテナ支持基材層３の裏面の第２粘着剤層７には、剥離シート８が仮貼着されていることを特徴とする請求項５記載の貼り換え防止用ＩＣラベル。
【発明の詳細な説明】
【技術分野】
【０００１】
本発明は、各種商品の真贋判定用のラベルであって、特に、商品のラベルとして封印ラベルや封印シールの貼り換えを防止するための貼り換え防止用ＩＣラベルに関する。
【背景技術】
【０００２】
従来より、各種の食料品関連商品やトイレタリー関連商品等の各種商品をはじめとして比較的高価な商品等においては、その商品の真贋を判定するために、商品本体や商品を包装したケース等には、商品の造贋や偽造等を防止し、商品の真贋を判定するために、封印ラベルや封印シールが貼着されている。
【０００３】
この封印ラベルや封印シールは、そのラベルやシールを剥がして商品やケース等を不正開封し、中身の商品にいたずらをしたり、偽物の商品と交換したりするのを防止するために、商品やケースの開封部分にオーバーラップさせて貼着使用されている。
【０００４】
このような従来の封印ラベルやシールは、例えば、通常のラベルに、切り込みを入れたり、ラベル基材に脆質性のフィルムを使用して、ラベルを剥がして開封しようとすると、そのラベルの切り込みがきっかけとなって、また、脆質性のフィルムであるために、容易にラベル基材に亀裂や切目が生じて破壊する。
【０００５】
そのために、開封された商品本体やケースを封印するために、再度、その封印ラベルを貼着しようとしても、ラベル基材が破壊しているために使用できず、また、貼着したとしても、そのラベルには外観上、亀裂や切目が生じているために、明確に開封されていることを目視にて識別することができる。
【０００６】
しかしながら、上記封印されているラベルやシールと外観的に同じような偽物の封印ラベルやシールによって、その商品本体やケースの開封部分を封印した場合には、一見してラベルが剥がされ不正開封されているとは識別できない場合がある。
【特許文献１】特開平７−１４６６５１号公報
【発明の開示】
【発明が解決しようとする課題】
【０００７】
本発明の課題は、封印されるラベルやシールの偽造を防止するために真贋判定用の識別情報が書き込まれたＩＣチップを組み込んだ各種商品の封印ラベル又はシールであって、封印ラベル又はシールを剥がして不正開封しようとすると、ラベルに設けた切り込みがきっかけとなって、ＩＣチップに接続する交信用アンテナが破断してＩＣチップ組み込みラベルが破壊し、そのラベルにて商品本体やケースの開封部分を再封印した場合には、識別情報の読み取りが不能となり、不正開封されているとを明確に識別できるようにしたラベルを提供することにある。
【課題を解決するための手段】
【０００８】
本発明の請求項１に係る発明は、図１、図２に示すように、ラベル基材層１の裏面に粘着剤層２を設けたラベルシート１０と、該ラベルシート１０よりも小サイズのアンテナ支持基材層３の表面に直線状又はコイル状のアンテナ線４とＩＣチップ５とを積層形成したラベル識別情報交信シート２０とが、そのＩＣチップ５を粘着剤層２側に重ね合わせて貼着され、前記ラベルシート１０のシート端縁部の数個所に、ラベル基材層１からアンテナ支持基材層３までに亘ってラベル識別情報交信シート２０のアンテナ線４と交差する方向
に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベルである。
【０００９】
本発明の請求項２に係る発明は、図２に示すように、上記請求項１に係る貼り換え防止用ＩＣラベルにおいて、前記ラベルシート１０のラベル識別情報交信シート２０周囲外側の粘着剤層２には、剥離シート８が仮貼着されていることを特徴とする請求項１記載の貼り換え防止用ＩＣラベルである。
【００１０】
本発明の請求項３に係る発明は、図１、図３に示すように、第１ラベル基材層１の裏面に第１粘着剤層２を設けたラベルシート１０と、該ラベルシート１０よりも小サイズのアンテナ支持基材層３の表面に直線状又はコイル状のアンテナ線４とＩＣチップ５とを積層形成したラベル識別情報交信シート２０とが、そのＩＣチップ５を粘着剤層２側に重ね合わせて貼着され、第２ラベル基材層６の裏面に第２粘着剤層７を設けた補強シート３０が、その第２ラベル基材層６を第１粘着剤層２側に重ね合わせて貼着され、前記ラベルシート１０のシート端縁部の数個所には、第１ラベル基材層１から第２ラベル基材層６までに、ラベル識別情報交信シート２０のアンテナ線４と交差する方向に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベルである。
【００１１】
本発明の請求項４に係る発明は、図３に示すように、上記請求項３に係る貼り換え防止用ＩＣラベルにおいて、前記補強シート３０の第２粘着剤層７には、剥離シート８が仮貼着されていることを特徴とする貼り換え防止用ＩＣラベルである。
【００１２】
本発明の請求項５に係る発明は、図４、図５に示すように、ラベル基材層１の裏面に第１粘着剤層２を設けたラベルシート１０と、該ラベルシート１０よりも小さいサイズ又は同一サイズのアンテナ支持基材層３の表面に直線状又はコイル状のアンテナ線４とＩＣチップ５とを積層形成し、そのアンテナ支持基材層３の裏面に第２粘着剤層７を設けたラベル識別情報交信シート２０とが、そのＩＣチップ５を第１粘着剤層２側に重ね合わせて貼着され、前記ラベルシート１０のシート端縁部の数個所に、ラベル基材層１からアンテナ支持基材層３までに亘ってラベル識別情報交信シート２０のアンテナ線４と交差する方向に向かう切り込み線９が設けられ、該切り込み線９の内端部は、アンテナ線４が通電可能な状態でアンテナ支持基材層３の領域内、又は／及びアンテナ線４の領域内に掛かるように設けられていることを特徴とする貼り換え防止用ＩＣラベルである。
【００１３】
本発明の請求項６に係る発明は、図５に示すように、上記請求項５に係る貼り換え防止用ＩＣラベルにおいて、前記アンテナ支持基材層３の裏面の第２粘着剤層７には、剥離シート８が仮貼着されていることを特徴とする貼り換え防止用ＩＣラベルである。
【発明の効果】
【００１４】
本発明の貼り換え防止用ＩＣラベルＡは、図１〜図５に示すように、ラベルシート１０に導電性のアンテナ線４とＩＣチップ５とを組み込んだラベル識別情報交信シート２０が積層形成されており、図８（ａ）〜（ｂ）に示すように、各種商品本体Ｂや商品本体を包装した包装ケースＢ等の商品の開封部分に、不正に開封ができないように、裏面の粘着剤を介して封印ラベルやシートとして貼着封印でき、ラベルに搭載するＩＣチップ５と直線状又はコイル状のアンテナ４から発信されるその商品に関するラベル識別情報信号を、リーダーライター手段Ｃにより受信して読み取りすることができ、また、その商品に関する必要なラベル識別情報を信号として書き込みすることができる。
【００１５】
また、本発明の貼り換え防止用ＩＣラベルＡは、図１、図２に示すように、ラベルＡの端縁部の数個所に、ラベル基材層１からアンテナ支持基材層３までに、ラベル識別情報交信シート２０の直線状又はコイル状のアンテナ線４と交差（横断）する方向に向かう切り込み線９が設けられ、該切り込み線９の内端部は、アンテナ線４の領域内に掛かるように設けられている。
【００１６】
また、本発明の貼り換え防止用ＩＣラベルＡは、図１、図３に示すように、ラベルＡの端縁部の数個所に、第１ラベル基材層１から第２ラベル基材層６までに、ラベル識別情報交信シート２０の直線状又はコイル状のアンテナ線４と交差（横断）する方向に向かう切り込み線９が設けられ、該切り込み線９の内端部は、アンテナ線４の領域内に掛かるように設けられている。
【００１７】
また、本発明の貼り換え防止用ＩＣラベルＡは、図４、図５に示すように、ラベルＡの端縁部の数個所に、第１ラベル基材層１からアンテナ支持基材層３までに、ラベル識別情報交信シート２０の直線状又はコイル状のアンテナ線４と交差（横断）する方向に向かう切り込み線９が設けられ、該切り込み線９の内端部は、アンテナ線４の領域内に掛かるように設けられている。
【００１８】
図８（ａ）〜（ｂ）に示すように、各種商品本体Ｂや商品本体を包装した包装ケースＢ等の商品の開封部分に封印ラベルやシートとして不正開封ができないように貼着封印した本発明の貼り換え防止用ＩＣラベルＡを商品Ｂの表面から手指にて引き剥がそうとした際には、該ラベルＡは、その引き剥がし力により、図７（ａ）に示すラベルＡに設けたアンテナ線４と交差（横断）する方向の切り込み線９をきっかけとして、図７（ｂ）に示すように該切り込み線９と連続する切り裂き線４０にて、ラベル識別情報交信シート２０のアンテナ線４が容易に破断（断線）するとともに、ラベルＡ1 とラベルＡ2 とに分断されて切り離される。
【００１９】
そのために、ラベルＡに搭載する直線状又はコイル状のアンテナ線４の正規の長さが変動し、また、ＩＣチップ５と直線状又はコイル状のアンテナ線４から発信されるその商品に関するラベル識別情報信号の波長が変動して、ＩＣチップ５及びアンテナ線４と、リーダーライター手段Ｃとの交信のプロトコルが不調となり、リーダーライター手段ＣによるＩＣチップ５からのラベル情報の読み取りや書き込みが不可能となって、再使用が不可能となるものである。
【００２０】
このように、本発明の貼り換え防止用ＩＣラベルＡは、ラベルやシールの偽造を防止するための真贋判定用の識別情報の読み取りや、書き込みができるＩＣチップ５が組み込まれており、封印ラベル又はシールを剥がして不正開封しようとすると、ラベルＡに設けた切り込み線９がきっかけとなって、ＩＣチップ５に接続する交信用アンテナ線４が破断して、ＩＣチップ組み込みラベルＡが破壊し、その破壊したラベルＡにて、商品本体やケースの開封部分を再封印した場合には、識別情報の読み取りが不能となり、不正開封されているとを明確に識別できるものである。
【発明を実施するための最良の形態】
【００２１】
本発明の請求項１に係る貼り換え防止用ＩＣラベルＡは、その実施の形態を、図１（ａ）〜（ｂ）の平面図、及び図２の積層側断面図に基づいて、以下に詳細に説明すれは、ラベルシート１０とラベル識別情報交信シート２０とを重ね合わせて貼着して形成されている。
【００２２】
ラベルシート１０は、透明乃至不透明なラベル基材層１の裏面に粘着剤層２を設けたものであり、ラベル識別情報交信シート２０は、該ラベルシート１０よりも小サイズの透明
乃至不透明なアンテナ支持基材層３の表面に、所定幅の導電性の直線状又はコイル状（図６参照）のアンテナ線４（例えば、アルミニウム又は銅等による導電性層）と、それに接続したＩＣチップ５（情報記憶用メモリ、プロトコル用のＣＰＵ等を搭載）とを積層形成したものである。
【００２３】
ラベルシート１０とラベル識別情報交信シート２０とは、その交信シート２０のＩＣチップ５側をラベルシート１０の粘着剤層２側に重ね合わせて貼着されており、前記ラベルシート１０のシート端縁部の数個所には、図２に示すように、ラベル基材層１からアンテナ支持基材層３までに達するように、ラベル識別情報交信シート２０のアンテナ線４と交差（横断）する方向に向かう切り込み線９が設けられている。
【００２４】
そして、該切り込み線９の内端部は、図１（ａ）に示すようにアンテナ線４が通電可能な状態で、該アンテナ線４の領域内に掛かるように設けられているか、又は／及び、図１（ｂ）に示すようにアンテナ線４の領域手前のアンテナ支持基材層３の領域内に掛かるように設けられているものである。なお、本発明において好ましくは、該切り込み線９の内端部の全てが、アンテナ線４の領域内に掛かるように設けることがよい。
【００２５】
なお、上記請求項１に係る貼り換え防止用ＩＣラベルにおいては、図２に示すように、前記ラベルシート１０のラベル識別情報交信シート２０周囲外側の粘着剤層２には、剥離シート８（粘着剤層２側にシリコーン樹脂等の離型剤層がコーティング等にて積層されている）が仮貼着されていて、ラベルＡを使用する際には、粘着剤層２から剥離シート８を剥がし、その粘着剤層２にて、所定の封印すべき物品や商品Ｂの開封部分に貼着して使用される。また、図２に示すアンテナ支持基材層３の裏面（剥離シート８と接する面）にも上記の粘着剤層２と同様の粘着剤層（図示せず）をコーティング等にて設けてもよい。
【００２６】
本発明の請求項３に係る貼り換え防止用ＩＣラベルＡは、その実施の形態を、図１の平面図及び図３の積層側断面図に基づいて、以下に詳細に説明すれは、ラベルシート１０とラベル識別情報交信シート２０と補強シート３０とを重ね合わせて貼着して形成されている。
【００２７】
ラベルシート１０は、図３に示すように、第１ラベル基材層１の裏面に第１粘着剤層２を設けたものであり、ラベル識別情報交信シート２０は、該ラベルシート１０よりも小サイズのアンテナ支持基材層３の表面に、導電性の直線状又はコイル状（図６参照）のアンテナ線４とＩＣチップ５とを積層形成したものであり、補強シート３０は、第２ラベル基材層６の裏面に第２粘着剤層７を設けたものである。
【００２８】
ラベルシート１０とラベル識別情報交信シート２０とは、その交信シート２０のＩＣチップ５側をラベルシート１０の第１粘着剤層２側に重ね合わせて貼着され、補強シート３０は、その第２ラベル基材層６側をラベル識別情報交信シート２０の裏面側の第１粘着剤層２とアンテナ支持基材層３に重ね合わせて貼着されている。
【００２９】
図３に示すように、前記ラベルシート１０のシート端縁部の数個所には、第１ラベル基材層１から第２ラベル基材層６までに達するように、ラベル識別情報交信シート２０のアンテナ線４と交差（横断）する方向に向かう切り込み線９が設けられている。
【００３０】
そして、該切り込み線９の内端部は、図１（ａ）に示すようにアンテナ線４が通電可能な状態で、該アンテナ線４の領域内に掛かるように設けられているか、又は／及び、図１（ｂ）に示すようにアンテナ線４の領域手前のアンテナ支持基材層３の領域内に掛かるように設けられているものである。なお、本発明において好ましくは、該切り込み線９の内端部の全てが、アンテナ線４の領域内に掛かるように設けることがよい。
【００３１】
なお、上記請求項３に係る貼り換え防止用ＩＣラベルにおいては、図３に示すように、前記補強シート３０の第２粘着剤層７には、剥離シート８（粘着剤層２側にシリコーン樹脂等の離型剤層がコーティング等にて積層されている）が仮貼着されていて、ラベルＡを使用する際には、粘着剤層２から剥離シート８を剥がし、その第２粘着剤層７にて、所定の封印すべき物品や商品Ｂの開封部分に貼着して使用される。
【００３２】
本発明の請求項５に係る貼り換え防止用ＩＣラベルＡは、その実施の形態を、図４の平面図及び図５の積層側断面図に基づいて、以下に詳細に説明すれは、ラベルシート１０とラベル識別情報交信シート２０とを重ね合わせて貼着して形成されている。
【００３３】
ラベルシート１０は、ラベル基材層１の裏面に第１粘着剤層２を設けたものであり、ラベル識別情報交信シート２０は、該ラベルシート１０と同一サイズのアンテナ支持基材層３の表面に導電性の直線状又はコイル状（図６参照）のアンテナ線４とＩＣチップ５とを積層形成し、そのアンテナ支持基材層３の裏面に第２粘着剤層７を設けたものである。
【００３４】
ラベルシート１０とラベル識別情報交信シート２０とは、その交信シート２０のＩＣチップ５側をラベルシート１０の第１粘着剤層２側に重ね合わせて貼着されており、前記ラベルシート１０のシート端縁部の数個所には、図５に示すように、ラベル基材層１からアンテナ支持基材層３までに、ラベル識別情報交信シート２０のアンテナ線４と交差（横断）する方向に向かう切り込み線９が設けられている。
【００３５】
そして、該切り込み線９の内端部は、図１（ａ）に示すようにアンテナ線４が通電可能な状態で、該アンテナ線４の領域内に掛かるように設けられているか、又は／及び、図１（ｂ）に示すようにアンテナ線４の領域手前のアンテナ支持基材層３の領域内に掛かるように設けられているものである。なお、本発明において好ましくは、該切り込み線９の内端部の全てが、アンテナ線４の領域内に掛かるように設けることがよい。
【００３６】
なお、本発明の請求項６に係る貼り換え防止用ＩＣラベルＡは、図５に示すように、前記アンテナ支持基材層３の裏面の第２粘着剤層７に剥離シート８（粘着剤層２側にシリコーン樹脂等の離型剤層がコーティング等にて積層されている）が仮貼着されていて、ラベルＡを使用する際には、粘着剤層２から剥離シート８を剥がし、その第２粘着剤層７にて、所定の封印すべき物品や商品Ｂの開封部分に貼着して使用される。
【００３７】
図６は、本発明の貼り換え防止用ＩＣラベルＡにおいて、ＩＣチップ５に接続して搭載する導電性のアンテナ線４をコイル状にした場合の平面図である。
【００３８】
図１〜図５に示す本発明の貼り換え防止用ＩＣラベルＡは、ラベルシート１０に導電性のアンテナ線４とＩＣチップ５とを組み込んだラベル識別情報交信シート２０が積層形成されており、図８（ａ）〜（ｂ）に示すように、各種商品本体Ｂや商品本体を包装した包装ケースＢ等の商品の開封部分に、不正に開封ができないように、ラベル裏面の粘着剤層２、７を介して封印ラベルやシートとして貼着して、商品Ｂを封印するものである。
【００３９】
本発明のラベルＡに搭載するＩＣチップ５と直線状又はコイル状のアンテナ４から発信されるその商品に関するラベル識別情報信号は、図８（ａ）に示すように、リーダーライター手段Ｃにより受信して読み取りすることができ、また、その商品に関する必要なラベル識別情報を信号として書き込みすることができる。
【００４０】
本発明の貼り換え防止用ＩＣラベルＡは、ラベルＡの端縁部の数個所に、図１〜図２に示すようにラベル基材層１からアンテナ支持基材層３までに、又は図１、図３に示すよう
に第１ラベル基材層１から第２ラベル基材層６までに、又は図４、図５に示すように、第１ラベル基材層１からアンテナ支持基材層３までに、ラベル識別情報交信シート２０の直線状又はコイル状のアンテナ線４と交差（横断）する方向に向かう切り込み線９が設けられている。
【００４１】
そして、該切り込み線９の内端部は、図１（ａ）に示すようにアンテナ線４が通電可能な状態で、該アンテナ線４の領域内に掛かるように設けられているか、又は／及び、図１（ｂ）に示すようにアンテナ線４の領域手前のアンテナ支持基材層３の領域内に掛かるように設けられているものである。なお、本発明において好ましくは、該切り込み線９の内端部の全てが、アンテナ線４の領域内に掛かるように設けることがよい。
【００４２】
図８（ａ）に示すように、各種商品本体Ｂや商品本体を包装した包装ケースＢ等の商品の開封部分に封印ラベルやシートとして不正開封ができないように貼着封印した本発明の貼り換え防止用ＩＣラベルＡを、商品Ｂの表面から手指にて引き剥がそうとした際には、該ラベルＡは、その引き剥がし力により、図７（ａ）に示すラベルＡに設けたアンテナ線４と交差（横断）する方向の切り込み線９をきっかけとして、図７（ｂ）に示すように該切り込み線９と連続する切り裂き線４０にて、ラベル識別情報交信シート２０のアンテナ線４が容易に破断（断線）し、ラベルＡ1 とラベルＡ2 とに分断されて切り離される。
【００４３】
そして、ラベルＡに搭載する直線状又はコイル状のアンテナ線４は、その正規の長さが変動し、また、ＩＣチップ５と直線状又はコイル状のアンテナ線４から発信されるその商品に関するラベル識別情報信号の波長が変動して、ＩＣチップ５及びアンテナ線４と、リーダーライター手段Ｃとの交信のプロトコルが不調となる。
【００４４】
そして、リーダーライター手段ＣによるＩＣチップ５からのラベル情報の読み取りや書き込みが不可能となって、破断したラベルＡの再使用は不可能となる。
【図面の簡単な説明】
【００４５】
【図１】（ａ）は本発明の貼り換え防止用ＩＣラベルＡの直線状アンテナ線を搭載した一例を説明する平面図、（ｂ）はその他の例を説明する平面図。
【図２】本発明の貼り換え防止用ＩＣラベルＡの一例を説明する積層側断面図。
【図３】本発明の貼り換え防止用ＩＣラベルＡの他の例を説明する積層側断面図。
【図４】本発明の貼り換え防止用ＩＣラベルＡの直線状アンテナ線を搭載したその他の例を説明する平面図。
【図５】本発明の貼り換え防止用ＩＣラベルＡのその他の例を説明する積層断面図。
【図６】本発明の貼り換え防止用ＩＣラベルＡのコイル状アンテナ線を搭載した一例を説明する平面図。
【図７】（ａ）〜（ｂ）は本発明の貼り換え防止用ＩＣラベルＡの直線状アンテナ線を搭載した一例における切り込み線からのアンテナ線の破断を説明する平面図。
【図８】（ａ）は本発明の貼り換え防止用ＩＣラベルＡを商品Ｂ面に貼着して封印した状態を説明する斜視図、（ｂ）は本発明の貼り換え防止用ＩＣラベルＡを商品Ｂ面に貼着して封印した状態を説明する部分側断面図。
【符号の説明】
【００４６】
Ａ…貼り換え防止用ＩＣラベル  Ｂ…商品（又は物品）
１…ラベル基材層（又は第１ラベル基材層）  ２…粘着剤層（又は第１粘着剤層）
３…アンテナ支持基材  ４…アンテナ線  ５…ＩＣチップ  ６…第２ラベル基材層
７…第２粘着剤層  ８…剥離シート  ９…切り込み線
１０…ラベルシート  ２０…ラベル識別情報交信シート  ３０…補強シート
４０…切り裂き線
【図１】
2005216054.tif 000003
【図２】
2005216054.tif 000004
【図３】
2005216054.tif 000005
【図４】
2005216054.tif 000006
【図５】
2005216054.tif 000007
【図６】
2005216054.tif 000008
【図７】
2005216054.tif 000009
【図８】
2005216054.tif 000010